【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
板面同士が連結された第１基板および第２基板を含む構造体と、
前記第１基板および前記第２基板を二つの側面として決められる６面体を収納空間とするとき、前記第１基板の前記収納空間側の板面に支持された第１センサーと、
前記第２基板の前記収納空間側の板面に支持された第２センサーと、を備え、
前記収納空間における前記第１基板の板面の面積および前記第２基板の板面の面積は互いに相違することを特徴とするセンサーモジュール。
【請求項２】
請求項１に記載のセンサーモジュールにおいて、
前記第１基板における前記第２基板の連結部から前記第１センサーまでの距離は、前記第２基板における前記第１基板の連結部から前記第２センサーまでの距離と相違することを特徴とするセンサーモジュール。
【請求項３】
請求項１または２に記載のセンサーモジュールにおいて、
前記第２基板側から前記収納空間を見たときに、前記第２センサーの少なくとも一部は前記第１センサーと重なっていることを特徴とするセンサーモジュール。
【請求項４】
請求項１〜３のいずれか１項に記載のセンサーモジュールにおいて、
前記第１基板および前記第２基板に交差して連結され、前記収納空間の側壁をなす第３基板と、
前記第３基板の前記収納空間側の板面に支持された第３センサーと、をさらに備え、
前記収納空間における、前記第１基板の板面の面積、前記第２基板の板面の面積および前記第３基板の板面の面積は互いに相違することを特徴とするセンサーモジュール。
【請求項５】
請求項４に記載のセンサーモジュールにおいて、
前記第１基板における前記第３基板の連結部から前記第１センサーまでの距離は前記第３基板における前記第１基板の連結部から前記第３センサーまでの距離と相違することを特徴とするセンサーモジュール。
【請求項６】
請求項４または５に記載のセンサーモジュールにおいて、
前記第１基板側から前記収納空間を見たときに、前記第１センサーの少なくとも一部は前記第３センサーと重なっていることを特徴とするセンサーモジュール。
【請求項７】
請求項４〜６のいずれか１項に記載のセンサーモジュールにおいて、
前記第２基板における前記第３基板の連結部から前記第２センサーまでの距離は、前記第３基板における前記第２基板の連結部から前記第３センサーまでの距離と相違することを特徴とするセンサーモジュール。
【請求項８】
請求項４〜７のいずれか１項に記載のセンサーモジュールにおいて、
前記第２基板側から前記収納空間を見たときに、前記第２センサーの少なくとも一部は前記第３センサーと重なっていることを特徴とするセンサーモジュール。
【請求項９】
請求項４〜８のいずれか１項に記載のセンサーモジュールにおいて、
前記第３センサーは振動ジャイロセンサーであることを特徴とするセンサーモジュール。
【請求項１０】
請求項１に記載のセンサーモジュールにおいて、
前記第１基板は第１板面を有し、
前記第２基板は第２板面および端面を有し、且つ前記第１基板の前記第１板面に前記端面を向け、前記第２板面を前記第１板面に交差して配置していることを特徴とするセンサーモジュール。
【請求項１１】
請求項１０に記載のセンサーモジュールにおいて、
前記第１基板では前記第１板面の端部に張り出し域が設けられ、
前記第２基板は前記張り出し域よりも内側で前記第１基板と連結されていることを特徴とするセンサーモジュール。
【請求項１２】
請求項１〜１１のいずれか１項に記載のセンサーモジュールにおいて、
前記構造体は、
前記第１部材および前記第２部材の少なくとも一方に連結され、前記収納空間の側壁をなすインターフェイス基板をさらに備え、
前記インターフェイス基板には、前記インターフェイス基板の前記収納空間側の板面に支持された演算処理回路と、前記収納空間側の板面とは反対側の板面で支持されたインターフェイス部品と、が搭載されることを特徴とするセンサーモジュール。
【請求項１３】
請求項１２に記載のセンサーモジュールにおいて、
前記構造体には温度センサーが備えられ、
前記温度センサーは前記インターフェイス基板以外の基板に取り付けられることを特徴とするセンサーモジュール。
【請求項１４】
請求項１〜１３のいずれか１項に記載のセンサーモジュールを備えることを特徴とする電子機器。
【手続補正２】
【補正対象書類名】明細書
【補正対象項目名】０００６
【補正方法】変更
【補正の内容】
【０００６】
（１）本発明の一態様は、板面同士が連結された第１基板および第２基板を含む構造体と、前記第１基板および前記第２基板を二つの側面として決められる６面体を収納空間とするとき、前記第１基板の前記収納空間側の板面に支持された第１センサーと、前記第２基板の前記収納空間側の板面に支持された第２センサーとを備え、前記収納空間における前記第１基板の板面の面積および前記第２基板の板面の面積は互いに相違するセンサーモジュールに関する。
【手続補正３】
【補正対象書類名】明細書
【補正対象項目名】００１０
【補正方法】変更
【補正の内容】
【００１０】
（４）センサーモジュールは、前記第１基板および前記第２基板に交差して連結され、前記収納空間の側壁をなす第３基板と、前記第３基板の前記収納空間側の板面に支持された第３センサーとをさらに備え、前記収納空間における前記第１基板の板面の面積、前記第２基板の板面の面積および前記第３基板の板面の面積は互いに相違することができる。
【手続補正４】
【補正対象書類名】明細書
【補正対象項目名】００１１
【補正方法】変更
【補正の内容】
【００１１】
（５）前記第１基板における前記第３基板の連結部から前記第１センサーまでの距離は前記第３基板における前記第１基板の連結部から前記第３センサーまでの距離と相違することができる。第１基板の振動や第３基板の振動は第１基板および第３基板の連結部からの距離に応じて異なる挙動を示すことから、２つの距離が相違すれば、第１基板の振動と第３基板の振動との間で相互の影響は回避されることができる。こうしたことは相互干渉の防止に大いに貢献することができる。
【手続補正５】
【補正対象書類名】明細書
【補正対象項目名】００１２
【補正方法】変更
【補正の内容】
【００１２】
（６）前記第１基板側から前記収納空間を見たときに、前記第１センサーの少なくとも一部は前記第３センサーと重なることができる。こうして第３センサーおよび第１基板の間の空間は有効利用されることができる。こうした空間の利用はセンサーモジュールの小型化に寄与することができる。
【手続補正６】
【補正対象書類名】明細書
【補正対象項目名】００１４
【補正方法】変更
【補正の内容】
【００１４】
（７）前記第２基板における前記第３基板の連結部から前記第２センサーまでの距離は、前記第３基板における前記第２基板の連結部から前記第３センサーまでの距離と相違することができる。第２基板の振動や第３基板の振動は第２基板および第３基板の連結部からの距離に応じて異なる挙動を示すことから、２つの距離が相違すれば、第２基板の振動と第３基板の振動との間で相互の影響は回避されることができる。こうしたことは相互干渉の防止に大いに貢献することができる。
【手続補正７】
【補正対象書類名】明細書
【補正対象項目名】００１５
【補正方法】変更
【補正の内容】
【００１５】
（８）前記第２基板側から前記収納空間を見たときに、前記第２センサーの少なくとも一部は前記第３センサーと重なることができる。こうして第３センサーおよび第２基板の間の空間は有効利用されることができる。こうした空間の利用はセンサーモジュールの小型化に寄与することができる。
【手続補正８】
【補正対象書類名】明細書
【補正対象項目名】００１６
【補正方法】変更
【補正の内容】
【００１６】
（９）センサーモジュールでは、前記第３センサーは振動ジャイロセンサーであることができる。
【手続補正９】
【補正対象書類名】明細書
【補正対象項目名】００１７
【補正方法】変更
【補正の内容】
【００１７】
（１０）前記第１基板は第１板面を有し、前記第２基板は第２板面および端面を有し、且つ前記第１基板の前記第１板面に前記端面を向けてもよく、前記第２板面を前記第１板面に交差して配置していてもよい。
【手続補正１０】
【補正対象書類名】明細書
【補正対象項目名】００１８
【補正方法】変更
【補正の内容】
【００１８】
（１１）センサーモジュールでは、前記第１基板では前記第１板面の端部に張り出し域が設けられ、前記第２基板は前記張り出し域よりも内側で前記第１基板と連結されていてもよい。